(57)【要約】      （修正有）【課題】消防用ホースのよじれが原因で、ホース先端のバルブなどが地面に衝突して変位し、開状態から閉状態になる等で誤作動を起こし、また、ノズルを保持する消防士も該ホースに振り回され危険で、差し金具の係止部に係合する係止爪に大きな負荷がかかるために起こる係止部の損傷を防ぐための、消防用ホースのよじれを解消する接合金具を提供する。【解決手段】接合金具は、受け金具Ｆと、受け金具Ｆに差し込まれる差し金具Ｍとからなる差込式接合金具であり、差し金具Ｍには、消防用ホースを回転可能に保持する回転緩和機構Ｒが設けられている。前記回転緩和機構Ｒは、差し金具の筒端部１３ｃの外レースと筒端部に遊嵌結合する回転金具１０の先端側の内レースとの間にボールベアリング１１を備えたスイベル機構である。【選択図】図１
0003184272.tif 000002
【実用新案登録請求の範囲】
【請求項１】
消防用ホースを連結する接合金具であって、
前記消防ホースを回転可能に保持する回転緩和機構が設けられていることを特徴とする消防用ホースの接合金具。
【請求項２】
前記接合金具は、受け金と、該受け金具に差し込まれる差し金具とからなり、前記差し金具に前記回転緩和機構が設けられていることを特徴とする請求項１記載の消防用ホースの接合金具。
【請求項３】
前記回転緩和機構が、ボールベアリングを備えたスイベル機構であることを特徴とする請求項１記載の消防用ホースの接合金具。
【考案の詳細な説明】
【技術分野】
【０００１】
本考案は、ホースを連結する接合金具に関するものであり、特に、編み上げホースなどで形成されている消防用ホースの接合金具に関するものである。
【背景技術】
【０００２】
１本の消防用ホースは、所定の長さ、例えば、２０ｍ、に形成されており、渦巻き状に巻かれて保管されている。そして、該ホースを使用する時には、該ホースを渦巻き方向と逆方向に回転させながら伸ばして直線状にするとともに、該ホースの端部と他の消防用ホースの端部とを接合金具を介して接続して消防用ホースの全体の長さを伸ばし、ホース先端のノズルが所望の位置に到達できる様にしている。
【０００３】
従来の接合金具として、受け金具と差し金具とからなる差込式接合金具が用いられている。前記受け金具は、一端に設けられたホース装着部と、他端に設けられた差込口と、締め付け側に付勢されている係止爪と、を備えている。又、前記差し金具は、一端に設けられたホース装着部と、他端に設けられた差込部と、該差込部の先端に設けられ、前記係止爪が係合する係合部と、該差込部に設けられた係合解除用の摺動押し輪と、を備えている。
【０００４】
この差込式接合金具では、受け金の差込口に差し金具の差込部を差し込むと、係止爪が係合部に係合するので、両者は、固定され連結される。また、連結を解除する場合には、摺動押し輪を解除方向に押すと、係止爪が係合部から外れるので、差し金具を引っ張ると、両者は、分離する。
【先行技術文献】
【特許文献】
【０００５】
【特許文献１】特開２００４−３５５３号公報
【考案の開示】
【考案が解決しようとする課題】
【０００６】
従来例では、火災等の際には、渦巻き状態の消防用ホースを回転させながら直線状に引き伸ばすとともに、接合金具を用いて互いの消防用ホースを接続し、所定位置まで伸ばしている。この消防用ホースは、編み上げなどにより形成された可撓性のあるホースであり、しかも、通水する前は潰れて平板状になっているので、地面に凹凸などがあると、直線状にはならず、上下方向や左右方向に曲がったり、よじれてしまう。この状態で、ポンプが始動し、圧力水が消火用ホースに送り込まれると、水圧でホースがよじれを戻そうとする為、激しく暴れる。
【０００７】
そのため、該ホースの先端のバルブなどが地面に衝突して変位し、開状態から閉状態になる等して、誤作動を起こすことがある。また、ノズルを保持する消防士も該ホースに振り舞わされることがあり、危険である。更に、差し金具の係止部に係合している係止爪に大きな負荷がかかり、係止部などが損傷することがある。
【０００８】
この考案は、上記事情に鑑み、ホースのよじれ解消を図ることを目的とする。
【課題を解決するための手段】
【０００９】
この考案は、消防用ホースを連結する接合金具であって、前記消防用ホースを回転可能に保持する回転緩和機構が設けられていることを特徴とする。
【００１０】
この考案の前記接合金具は、受け金と、該受け金具に差し込まれる差し金具とからなり、前記差し金具に前記回転緩和機構が設けられていることを特徴とする。この考案の前記回転緩和機構が、ボールベアリングを備えたスイベル機構であることを特徴とする。
【図面の簡単な説明】
【００１１】
【図１】本考案の第１実施形態を示す一部断面正面図である。
【図２】使用状態を示す平面図である。
【考案を実施するための形態】
【００１２】
この発明の第１実施形態を図１〜図２により説明する。差込式接合金具は、受け金具Ｆと差し金具Ｍとから構成されている。前記受け金具Ｆは、一端にホース接続部１ａを設け、他端に受入部１ｂを設けた受け金具本体１と、該受入部１ｂの内側に設けられた係止爪２と、前記受入部１ｂの外周面に設けられたタイヤ３と、緩衝を備えている。
【００１３】
受入部１ｂの先端面には、締め輪９が設けられている。前記係止爪２は、締め輪９の円筒部９ａの内側に、円周方向に間隔をおいて複数設けられ、各係止爪２は、板ばねにより中心方向（締め付け方向）に付勢されている。
【００１４】
差し金具Ｍは、一端に回転緩衝機構Ｒを設け、他端に差込部１３ｂを設けた差し金具本体１３と、該差込部１３ｂの先端に設けられた爪の係止部１５と、該差込部１３ｂに嵌着された摺動押し輪１４と、を備えている。
【００１５】
前記回転緩衝機構Ｒは、差し金具本体１３の筒端部１３ｃと、該筒端部１３ｃに遊嵌合する回転金具１０とから構成され、前記筒端部１３ｃの外レースと前記回転金具１０の先端側の内レースとの間には、ボール１１が挿入され、所謂ボールベアリング機構を構成している。前記回転金具１０の後端側には、ホース挿着部１０ａが設けられている。
【００１６】
次に、本実施例の作動について説明する。火災などの際には、消防士が渦巻き状態の消防用ホースＨを所定箇所に運び、該ホースＨを回転させながら直線状に伸ばすとともに、該ホースＨの差し金具Ｍの差込部１３ｂを、隣接する他の消防用ホースＨの受け金具Ｆの受入部１ｂに差し込むと、係止爪２が係止部１５に係合し、両者Ｆ、Ｍは接続され、固定される（図２参照）。このホースＨの連結は、ホース先端のノズルが所定の位置（消火位置）に届くようになるまで行われる。
【００１７】
ポンプを起動させると、消防用ホースＨに消火水が圧送されるので、該ホースＨは、水圧により膨らみ、断面円形状になりながら伸長するが、必ずしも水平状、直線状に配設されていないので、水圧でホースがよじれを戻そうとする為、激しく暴れる。
【００１８】
この時、回転緩和機構Ｒの回転金具１０が回転し、該ホースＨが自由に回転するため、前記ホースＨに係る力を逃がすことができる。そのため、該ホースＨのよじれ現象の発生を防止することができるので、従来例と異なり、バルブなどの誤作動、消防士の危険性、及び受け金具などの損傷などの事故発生を防止することができる。
【００１９】
消火作業完了後、摺動押し輪１４を解除方向に押すと、係止爪２が係止部１５から外れる。この状態で、差し金具Ｍを引くと、該差し金具Ｍは、受け金具Ｆから分離する。
【００２０】
この考案の実施例は、上記に限定されるものではなく、例えば、回転緩和機構は、接合金具の差し金具に設ける代わりに、受け金具に設けてもよい。又、接合金具は、差込式接合金具に限定されるものでは無く、他の形式の接合金具であても本考案を適用することができることは勿論である。
【符号の説明】
【００２１】
１      受け金具本体
１ａ    ホース接続部
１ｂ    受入部
２      係止爪
１３    差し金具本体
１３ａ  ホース装着部
１３ｂ  差込部
１４    摺動押し輪
１５    爪の係止部
Ｆ      受け金具
Ｍ      差し金具
Ｒ      回転緩和機構
【図１】
0003184272.tif 000003
【図２】
0003184272.tif 000004